(57)【要約】【課題】ＥＴＣや、無人パーキングなどの料金収受システムにおいて障害者等の利用料金割引システムは、障害者等であるという成りすましの防止等の観点から利用のための手続きや処理が複雑な場合や、そのシステムの構成から利用そのものが不可能であるなどの課題がある。【解決手段】従来の自動料金収受システムに、内部メモリに障害者等の割引情報や利用回数等を格納させたＩＣカード９、そのＩＣカード９の情報を読み書きするカードリーダライタ２を組合せる。比較的偽造のされにくいＩＣカードを証明書として用いることで成りすまし等の不正を防止し、料金収受装置にそのＩＣカードの読み取り装置を導入することで容易に通常料金に割引情報を加味した割引料金を算出することができる。【選択図】図１
2006004355.tif 000002
【特許請求の範囲】
【請求項１】
無線通信機能を持ち車両に搭載される車載器と、前記車載器と無線通信を行う料金収受装置とからなる料金収受システムであって、
前記車載器は利用者が所有している支払い機能をもつ第一の情報記録担体と特定の割引情報を記憶した第二の情報記録担体とを挿入するための複数の挿入部を有し、
前記車載器は前記第一の情報記録担体および前記第二の情報記録担体から取得した情報を前記料金  収受装置に送信し、
前記料金収受装置は前記車載器から受信した情報に基づいて通行料金の収受処理を実行する料金収受システム。
【請求項２】
無線通信機能を持ち車両に搭載される車載器と、前記車両に搭載され前記車載器と通信を行う情報記録担体読取装置と、前記車載器と無線通信を行う料金収受装置とからなる料金収受システムであって、
前記車載器は、利用者が所有している支払い機能をもつ第一の情報記録担体を挿入するための挿入部を有し、
前記情報読取装置は、特定の割引情報を記憶した第二の情報記録担体を挿入するための挿入部を有し、
前記車載器は前記第一の情報記録担体から取得した情報および前記情報読取装置を介して前記第二の情報記録担体から取得した情報を前記料金収受装置に送信し、
前記料金収受装置は前記車載器から受信した情報に基づいて通行料金の収受処理を実行する料金収受システム。
【請求項３】
第二の情報記録担体は、同乗者が所有している情報記録担体である請求項１または２記載の料金収受システム。
【請求項４】
情報記録担体は非接触式ＩＣカードおよび／または接触式ＩＣカードであり、情報読取装置は非接触ＩＣカードリーダおよび／または接触式ＩＣカードリーダである請求項１から３のいずれか１項に記載の料金収受システム。
【請求項５】
割引情報は、障害者等のための割引情報である請求項１から４のいずれか１項に記載の料金収受システム。
【請求項６】
通行料金の収受処理を実行する料金収受装置と無線通信を行いかつ車両に搭載される車載器であって、
前記車載器は利用者が所有している支払い機能をもつ第一の情報記録担体と特定の割引情報を記憶した第二の情報記録担体とを挿入するための複数の挿入部を有し、
前記第一の情報記録担体および前記第二の情報記録担体から取得した情報を、この情報に基づいて通行料金の収受処理を実行する前記料金収受装置に送信する車載器。
【請求項７】
通行料金の収受処理を実行する料金収受装置と無線通信を行いかつ車両に搭載される車載器であって、
前記車載器は利用者が所有している支払い機能をもつ第一の情報記録担体を挿入する挿入部と、
特定の割引情報を記憶した第二の情報記録担体を挿入するための挿入部を有する情報読取装置の接  続部とを有し、
前記第一の情報記録担体から取得した情報および前記情報読取装置を介して前記第二の情報記録担体から取得した情報を、これらの情報に基づいて通行料金の収受処理を実行する前記料金収受装置に送信する車載器。
【請求項８】
第二の情報記録担体は、同乗者が所有している情報記録担体である請求項６または７記載の車載器。
【請求項９】
情報記録担体は非接触式ＩＣカードおよび／または接触式ＩＣカードであり、情報読取装置は非接触ＩＣカードリーダおよび／または接触式ＩＣカードリーダである請求項６から８のいずれか１項に記載の車載器。
【発明の詳細な説明】
【技術分野】
【０００１】
本発明は、ＩＣ（Ｉｎｔｅｇｒａｔｅｄ  Ｃｉｒｃｕｉｔ）カード等のデータキャリアとそのデータキャリアの情報の読み書きが出来るリーダライタを利用した料金割引システムに関するものである。
【背景技術】
【０００２】
従来の有料道路におけるＥＴＣ（Ｅｌｅｃｔｒｏｎｉｃ  Ｔｏｌｌ  Ｃｏｌｌｅｃｔｉｏｎ）等の自動料金収受システム等は、その施設等の利用料金を無人および／または自動でＩＣカード等から利用料金を精算するためのシステムである。
【０００３】
例えば、上記ＥＴＣの自動支払い時においては、障害者等の料金割引を受ける場合には事前に市町村福祉事務局等での申請を行い、障害者手帳にその乗車ナンバー及び有効割引期限とを事前登録し、さらに車載器の登録を別途行うことで、その障害者等の情報の入ったＥＴＣカードと申請された車載器の組合せの場合のみ料金の割引が受けられるようになっている（例えば特許文献１参照）。すなわち、予め割引可能であるとした１枚のＥＴＣカードを用いて料金処理を行うものである。
【特許文献１】特開平１１−１７５７８４号公報
【発明の開示】
【発明が解決しようとする課題】
【０００４】
しかし、従来の料金を精算するためのシステムでは、障害者等の割引情報等を本人が所持していたとしても、成りすまし防止等の意味合いから、予め登録を行った車載器とＩＣカードとの組合せでしか利用できない。また、無人パーキング等での自動料金収受装置では割引情報が考慮されない。
【０００５】
本発明は、決済に用いるＩＣカードと、これとは異なり割引情報を有するＩＣカードという比較的偽造のされ難いデータキャリアの情報を車載器自身あるいは車載器に接続されたリーダライタで読み取り、これらの情報を自動料金収受装置に送信して割引情報の有無を加味して料金収受処理を実行するシステムを提供することを目的とする。
【課題を解決するための手段】
【０００６】
本発明の料金収受システムは、無線通信機能を持ち車両に搭載される車載器と、前記車載器と無線通信を行う料金収受装置とからなる料金収受システムであって、前記車載器は利用者が所有している支払い機能をもつ第一の情報記録担体と特定の割引情報を記憶した第二の情報記録担体とを挿入するための複数の挿入部を有し、前記車載器は前記第一の情報記録担体および前記第二の情報記録担体から取得した情報を前記料金収受装置に送信し、前記料金収受装置は前記車載器から受信した情報に基づいて通行料金の収受処理を実行するものである。
【０００７】
また、本発明の料金収受システムは、無線通信機能を持ち車両に搭載される車載器と、前記車両に搭載され前記車載器と通信を行う情報記録担体読取装置と、前記車載器と無線通信を行う料金収受装置とからなる料金収受システムであって、前記車載器は、利用者が所有している支払い機能をもつ第一の情報記録担体を挿入するための挿入部を有し、前記情報読取装置は、特定の割引情報を記憶した第二の情報記録担体を挿入するための挿入部を有し、前記車載器は前記第一の情報記録担体から取得した情報および前記情報読取装置を介して前記第二の情報記録担体から取得した情報を前記料金収受装置に送信し、前記料金収受装置は前記車載器から受信した情報に基づいて通行料金の収受処理を実行するものである。
【０００８】
また、本発明の車載器は、通行料金の収受処理を実行する料金収受装置と無線通信を行いかつ車両に搭載される車載器であって、前記車載器は利用者が所有している支払い機能をもつ第一の情報記録担体と特定の割引情報を記憶した第二の情報記録担体とを挿入するための複数の挿入部を有し、前記第一の情報記録担体および前記第二の情報記録担体から取得した情報を、この情報に基づいて通行料金の収受処理を実行する前記料金収受装置に送信するものである。
【０００９】
また、本発明の車載器は、通行料金の収受処理を実行する料金収受装置と無線通信を行いかつ車両に搭載される車載器であって、前記車載器は利用者が所有している支払い機能をもつ第一の情報記録担体を挿入する挿入部と、  特定の割引情報を記憶した第二の情報記録担体を挿入するための挿入部を有する情報読取装置の接続部とを有し、前記第一の情報記録担体から取得した情報および前記情報読取装置を介して前記第二の情報記録担体から取得した情報を、これらの情報に基づいて通行料金の収受処理を実行する前記料金収受装置に送信するものである。
【発明の効果】
【００１０】
以上のように、本発明の料金収受システムによれば、決済機能を有するＩＣカードと、割引情報を有するＩＣカードとを用いて料金収受処理を行うようにすることで、従来のように予め決められたＩＣカードでしか割引を受けることができないという限定的なものではなく、各々異なる割引情報を有する各々のＩＣカードを用いて割引処理を行うことができる。
【発明を実施するための最良の形態】
【００１１】
以下、本発明の一実施の形態について、図１から図４を用いて説明する。
【００１２】
図１に、本実施の形態における料金収受システムの概略構成を示す。図１において、１は無線通信機能を備えており車両に搭載された車載器、２は車両に搭載され車載器１に接続されており情報記録担体の一例である接触式のＩＣカードの情報を読み取るカードリーダライタ、３は車載器１と無線通信を行うための路側アンテナ、４は路側アンテナ３の制御等を行い路側アンテナ３を介して車載器１と通信を行う路側制御装置、５は路側制御装置４を介して車載器１から送信されてきた情報に基づいて料金の算出等を行う料金収受装置である。
【００１３】
以上のように構成された料金収受システムについて、その動作を説明する。
【００１４】
車両に搭載される車載器１には予め車種情報等が書き込まれており、また、例えば高速道路の料金所を通過する際に通行経路情報や課金情報等が書き込まれるようになっている。そして、この車載器１には、図示しないが接触式のＩＣカードを挿入可能な挿入部とＩＣカードのＩＣから情報を読み出すための接触端子、及び、接触端子が読み取った情報を解析する演算部等が設けられており、図２に示すＩＣカード６が着脱できるようになっている。なお、このＩＣカード６は通行券機能を有しており、内部メモリには、予め、ＩＤ（Ｉｄｅｎｔｉｆｉｃａｔｉｏｎ）番号（図示せず）と共に料金支払いのための支払い口座情報７や道路利用契約情報８等が書き込まれている。
【００１５】
また、車載器１に接続されているカードリーダライタ２は、図２に示すＩＣカード６とは異なる図３に示すＩＣカード９が挿入され、このＩＣカード９に対して情報の読み書きを行うものである。なお、このＩＣカード９は、障害者等であることを示す証明書の機能を有しており、内部メモリには、障害者等であることを証明する証明ＩＤ１０と利用回数１１等が書き込まれている。そして、カードリーダライタ２は、ＩＣカード９に対して、例えば高速道路の料金所を通過する際に利用回数等の情報が書き込めるようになっている。
【００１６】
一方、料金所には、入出口ゲート等に加えて通信装置である路側アンテナ３と、この路側アンテナ３を介して車載器１と通信を行う路側無線制御装置４と、路側無線制御部４が車載器１から受信した情報に基づいて料金収受を行う料金収受装置５とが設けられる。
【００１７】
次に、本実施の形態における料金収受処理について、図４を参照して説明する。図４において、ＩＣカード６が装着される車載器１およびＩＣカード９が装着される非接触リーダライタ２が車両側に設けられており、路側アンテナ３と路側無線制御装置４と料金収受装置５とが路側に設けられており、車両側と路側とで通信を行うことにより料金収受処理を行うものとする。
【００１８】
なお、車両には運転者と同乗者１名とが乗車しており、運転者は決済機能や通行券機能を有するＩＣカード６を所持しており、同乗者は障害者等でありこの同乗者は障害者等であることを示す証明書の機能を有するＩＣカード９を所持しており、運転者が所持するＩＣカード６を車載器１の挿入部に挿入し、同乗者が所持するＩＣカード９をカードリーダライタ２の挿入部に挿入して高速道路を通行する場合について説明する。
【００１９】
車両が有料施設を通行する際には、予め、車載器１にＩＣカード６を装着しておく。この車載器１を搭載した状態で車両が入口料金所を通過するときに、入口情報等を路側無線制御装置４より路側アンテナ３を用いて車載器１に送信する。車載器１は受信した入口情報、進入時間等を自己の内部メモリに記憶するとともに、ＩＣカード６にも記録する。
【００２０】
車両が目的とする出口料金所に達すると、車載器１は、ＩＣカード６に記憶している支払い口座情報７や道路利用契約情報８等を読み出し、自身が記憶している入口情報等の通過情報と共に路側アンテナ３を介して路側無線制御装置４に送信する。
【００２１】
その後、路側無線制御装置４は、障害者等の割引情報の有無を車載器１を介して車載器１と接続されているカードリーダライタ２と通信することにより確認する。カードリーダライタ２の挿入部にＩＣカード９が存在し、かつ、障害者等であることによる割引情報が記憶されていた場合、車載器１はその割引情報をカードリーダライタ２から取得して路側無線制御装置４側に送信する。路側無線制御装置４は車載器１から受信した情報を料金収受装置５に入力する。料金収受装置５はには図示しないＣＰＵが組み込まれており、このＣＰＵに予め格納された演算プログラムを実行領域で実行することで、受信した経路情報、道路利用契約情報、利用時間等に基づいて通常料金１４を算出する。さらに料金収受装置５は割引情報の有無を判別し、その情報が存在している場合にはその割引情報を加味して割引料金１５を算出する。この割引料金１５も、ＣＰＵに格納された割引計算演算プログラムを演算領域にて実行することで算出する。なお、この割引率は料金収受装置５内のメモリに予め記憶されている。
【００２２】
そして、料金収受装置５は路側無線制御装置４および路側アンテナ３を介して処理された通行料金や利用回数等に関する情報を車載器１へ送信し、ＩＣカード６への料金引き落とし処理や、ＩＣカード９への利用回数の追加処理を行う。このようにすることで、料金の収受処理を実行することができ、車両はノンストップで料金所を通過することができる。
【００２３】
なお、同乗者が各々異なる場合で、各々の同乗者が各々割引状態の異なるＩＣカード９を所持している場合、ある同乗者が同乗しその同乗者が所持するＩＣカード９を非接触リーダライタ２の挿入部に挿入して料金収受を行うことで、その同乗者の割引状態にあった割引を受けることができる。
【００２４】
以上のように、決済機能を有するＩＣカード６と、割引情報を有するＩＣカード９とを用いて料金収受処理を行うようにすることで、従来のように予め決められたＩＣカードでしか割引を受けることができないという限定的なものではなく、各々異なる割引情報を有する各々のＩＣカード９を用いて割引処理を行うことができる。
【００２５】
なお、本実施の形態ではＩＣカード９からの情報の処理に接触式のカードリーダライタ２を用いたが、非接触式のリーダライタとしてもよい。また、車載器１についても、非接触式のＩＣカードを読み書き可能なものとしてもよい。
【００２６】
また、本実施の形態では、車載器１およびカードリーダライタ２をＩＣカード６あるいはＩＣカード９を挿入するタイプのもので説明したが、ＩＣカードを載置するタイプのものとしてもよい。但し、ＩＣカード保持の安定性の面から、挿入するタイプのもの方が望ましい。
【００２７】
また、本実施の形態では、ＩＣカード６とＩＣカード９の２枚のＩＣカードを用いて料金収受を行う例について示したが、車載器１およびカードリーダライタ２を複数のＩＣカードを同時に挿入できる構成とし、挿入するＩＣカード９の枚数を増やして３枚以上のＩＣカードに基づいて料金収受を行うようにしてもよい。この場合の料金の演算、割引料金の演算、路側無線制御装置４との間での通信についても上記実施の形態と同様である。
【００２８】
また、本実施の形態では、車載器１とカードリーダライタ２とを備え、各々１枚のＩＣカードを挿入する例を示したが、車載器１が挿入部を複数設ける構造とし、カードリーダライタ２を設けなくても車載器１にＩＣカード６とＩＣカード９を挿入するようにしても良い。
【産業上の利用可能性】
【００２９】
本発明の料金収受システムは、簡便に障害者等の割引情報等を加味した料金収受ができるので、高速道路や駐車場など有料の施設における料金収受システムとして有用である。
【図面の簡単な説明】
【００３０】
【図１】本発明の実施の形態における料金収受システムの概略構成を示す図
【図２】本発明の実施の形態における車載器に挿入して使用されるＩＣカードの概略構成を示す図
【図３】本発明の実施の形態におけるカードリーダライタに挿入して使用されるＩＣカードの概略構成を示す図
【図４】本発明の実施の形態における車載器と料金所路側の装置等との間における動作処理を示す図
【符号の説明】
【００３１】
１  車載器
２  カードリーダライタ
３  路側アンテナ
４  路側無線制御装置
５  料金収受装置
６  ＩＣカード
７  支払い口座情報
８  道路利用契約情報
９  ＩＣカード
１０  証明ＩＤ
１１  利用回数
１４  通常料金
１５  割引料金
【図１】
2006004355.tif 000003
【図２】
2006004355.tif 000004
【図３】
2006004355.tif 000005
【図４】
2006004355.tif 000006